(57)【要約】【課題】剛性の低下を抑制することが可能なシート収納カセットおよびそれを備えた画像形成装置を提供する。【解決手段】給紙カセット（シート収納カセット）１０は、用紙収容部Ｓと、用紙幅方向に移動可能で、用紙積載板１６に積載された用紙Ｐの側端部に当接して位置決めを行う幅合わせカーソル２０ａおよび２０ｂと、給紙方向に移動可能で、用紙Ｐの後端部に当接して位置決めを行う第１後端カーソル３０と、幅合わせカーソル２０ａおよび２０ｂに設けられ、第１後端カーソル３０が位置決めを行う用紙Ｐよりも小サイズの用紙Ｐの後端部に当接して位置決めを行う第２後端カーソル４０と、を備える。【選択図】図３
2018100173.tif 000002
【特許請求の範囲】
【請求項１】
装置本体のカセット装着部に対して着脱可能なシート収納カセットであって、
シートを収容するシート収容部と、
前記シート収容部にシート給送方向上流側の部分が回動可能に支持され、上面にシートが積載されるシート積載板と、
前記シート収容部の底面上をシート給送方向に直交するシート幅方向に移動可能で、前記シート積載板に積載されたシートの側端部に当接して位置決めを行う幅合わせカーソルと、
前記シート収容部の底面上を前記シート給送方向に移動可能で、シートの後端部に当接して位置決めを行う第１後端カーソルと、
前記幅合わせカーソルに設けられ、前記第１後端カーソルが位置決めを行うシートよりも小サイズのシートの後端部に当接して位置決めを行う第２後端カーソルと、
を備え、
前記幅合わせカーソルは、前記シートの側端部に当接する側端当接面を有する側端規制部を含み、
前記第２後端カーソルは、前記側端当接面に沿って配置され、前記シートの後端部に当接しない退避位置と、前記側端当接面よりも前記シート幅方向の内側に突出し前記シートの後端部に当接可能な突出位置と、に選択配置されることを特徴とするシート収納カセット。
【請求項２】
前記側端規制部には、前記側端当接面を凹設して、前記第２後端カーソルを収容するカーソル収容部が設けられていることを特徴とする請求項１に記載のシート収納カセット。
【請求項３】
前記第２後端カーソルは、上下方向に突出する回動軸部を中心に前記退避位置と前記突出位置との間を回動可能に前記側端規制部に支持され、
前記カーソル収容部は、前記シート給送方向に延設され、前記回動軸部が挿入され、前記回動軸部がスライド可能な一対のガイド溝を有し、
前記第２後端カーソルは、前記突出位置において、前記シート給送方向に沿ってスライド可能に支持されていることを特徴とする請求項２に記載のシート収納カセット。
【請求項４】
前記第２後端カーソルは、前記シートの後端部に当接する後端当接面を有し、
前記後端当接面は、前記突出位置において前記側端当接面に対して垂直に配置されることを特徴とする請求項１〜３のいずれか１項に記載のシート収納カセット。
【請求項５】
前記第２後端カーソルは、前記幅合わせカーソルの後端に回動可能に支持され、前記退避位置において、前記側端当接面の延長面上に延び、前記側端当接面の一部を構成し、前記突出位置において、前記側端当接面から内側に向けて垂直方向へ延びることを特徴とする請求項１に記載のシート収納カセット。
【請求項６】
前記第２後端カーソルは、略直方体形状で、上面および下面のそれぞれから上下方向に突出する突出部が設けられていることを特徴とする請求項４に記載のシート収納カセット。
【請求項７】
請求項１〜６のいずれか１項に記載のシート収納カセットと、画像形成部と、を備えることを特徴とする画像形成装置。
【発明の詳細な説明】
【技術分野】
【０００１】
本発明は、シート積載板と、シート積載板に載置されたシートの後端部に当接して位置決めを行う後端カーソルと、を含むシート収納カセットおよびそれを備えた画像形成装置に関する。
【背景技術】
【０００２】
従来、シート積載板と、用紙（シート）の給紙方向に移動可能で、シート積載板に載置された用紙の後端部の位置決めを行う後端カーソルと、を備えたシート収納カセットが広く用いられている。後端カーソルは、シート収納カセットの底面部に設けられたスリットに沿って給紙方向に移動し、用紙の後端部に当接して位置決めを行う。
【０００３】
なお、後端カーソルを備えたシート収納カセットは、例えば特許文献１に開示されている。
【先行技術文献】
【特許文献】
【０００４】
【特許文献１】特開平１１−１８９３４２号公報
【発明の概要】
【発明が解決しようとする課題】
【０００５】
しかしながら、従来のシート収納カセットでは、最大サイズから最小サイズまでの用紙の後端部に後端カーソルを当接させるために、シート収納カセットの底面部に設けるスリットを大きく形成する必要があった。このため、シート収納カセットの剛性が低下するという問題点があった。なお、シート収納カセットの剛性が低下すると、シート収納カセットにねじれが生じ、用紙のスキュー（斜め給紙）等の給紙不良が発生する。
【０００６】
本発明は、上記のような課題を解決するためになされたものであり、本発明の目的は、剛性の低下を抑制することが可能なシート収納カセットおよびそれを備えた画像形成装置を提供することである。
【課題を解決するための手段】
【０００７】
上記目的を達成するために、本発明の第１の構成のシート収納カセットは、装置本体のカセット装着部に対して着脱可能なシート収納カセットであって、シートを収容するシート収容部と、シート収容部にシート給送方向上流側の部分が回動可能に支持され、上面にシートが積載されるシート積載板と、シート収容部の底面上をシート給送方向に直交するシート幅方向に移動可能で、シート積載板に積載されたシートの側端部に当接して位置決めを行う幅合わせカーソルと、シート収容部の底面上をシート給送方向に移動可能で、シートの後端部に当接して位置決めを行う第１後端カーソルと、幅合わせカーソルに設けられ、第１後端カーソルが位置決めを行うシートよりも小サイズのシートの後端部に当接して位置決めを行う第２後端カーソルと、を備える。幅合わせカーソルは、シートの側端部に当接する側端当接面を有する側端規制部を含み、第２後端カーソルは、側端当接面に沿って配置され、シートの後端部に当接しない退避位置と、側端当接面よりもシート幅方向の内側に突出しシートの後端部に当接可能な突出位置と、に選択配置される。
【発明の効果】
【０００８】
本発明の第１の構成のシート収納カセットによれば、幅合わせカーソルに設けられ、第１後端カーソルが位置決めを行うシートよりも小サイズのシートの後端部に当接して位置決めを行う第２後端カーソルを備える。これにより、シートサイズに合わせて第１後端カーソルと第２後端カーソルとを使い分けることができる。すなわち、最大サイズから最小サイズまでの全てのサイズのシートに対して第１後端カーソルを用いる必要がない。このため、シート収納カセットの底面部に設けるスリットを小さくすることができるので、シート収納カセットの剛性が低下するのを抑制することができる。その結果、シート収納カセットにねじれが生じるのを抑制することができるので、シートのスキュー（斜め給紙）等の給紙不良が発生するのを抑制することができる。
【図面の簡単な説明】
【０００９】
【図１】本発明の第１実施形態の給紙カセットが搭載される画像形成装置の構造を示した斜視図である。
【図２】本発明の第１実施形態の給紙カセットが搭載される画像形成装置の内部構造を示した正面図である。
【図３】本発明の第１実施形態の給紙カセットの構造を示した斜視図である。
【図４】本発明の第１実施形態の給紙カセットの構造を示した斜視図である。
【図５】本発明の第１実施形態の給紙カセットの幅合わせカーソルおよび第２後端カーソルの構造を示した斜視図であり、第２後端カーソルを退避位置に配置した状態を示した図である。
【図６】本発明の第１実施形態の給紙カセットの幅合わせカーソルおよび第２後端カーソルの構造を示した斜視図であり、第２後端カーソルを突出位置に配置した状態を示した図である。
【図７】本発明の第１実施形態の給紙カセットの第２後端カーソルの構造を示した斜視図である。
【図８】本発明の第１実施形態の給紙カセットの幅合わせカーソルの構造を示した斜視図である。
【図９】本発明の第１実施形態の給紙カセットの幅合わせカーソルの側端規制部の構造を示した上面断面図である。
【図１０】本発明の第１実施形態の給紙カセットの幅合わせカーソルの係合部周辺の構造を示した斜視図である。
【図１１】本発明の第１実施形態の給紙カセットの幅合わせカーソルおよび第２後端カーソルの構造を示した上面断面図であり、第２後端カーソルを突出位置に配置した状態を示した図である。
【図１２】図１１の状態から第２後端カーソルを矢印Ｂ方向に移動させた状態を示した図である。
【図１３】図１２の状態から第２後端カーソルを所定角度だけ回動させた状態を示した図である。
【図１４】本発明の第２実施形態の給紙カセットの第２後端カーソルおよび側端規制部の構造を示した斜視図であり、第２後端カーソルを退避位置に配置した状態を示した図である。
【図１５】本発明の第２実施形態の給紙カセットの第２後端カーソルおよび側端規制部の構造を示した斜視図であり、第２後端カーソルを突出位置に配置した状態を示した図である。
【発明を実施するための形態】
【００１０】
以下、本発明の実施形態について図面を参照して説明する。
【００１１】
（第１実施形態）
図１に示すように、画像形成装置１００は、装置本体（画像形成装置本体）１と、その上部に配設された画像読取装置２と、を備える。
【００１２】
画像読取装置２内には、コンタクトガラス２ａ上の原稿の画像情報を読み取る画像読取部が設けられている。画像読取部は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１３】
画像読取装置２の正面部には、操作ボタンや表示部を有する操作パネル３が設けられている。なお、画像読取装置２の上部には、コンタクトガラス２ａ上に載置された原稿を押えるプラテン（図示せず）が開閉可能に設けられている。プラテン上には、原稿束から１枚ずつの原稿を自動的に順次コンタクトガラス２ａ上に送る自動原稿搬送装置（図示せず）が設けられていてもよい。
【００１４】
画像読取装置２と装置本体１との間には、左側面及び正面に向けて大きく開放された胴内排紙空間４が設けられている。
【００１５】
装置本体１の正面部には、用紙（シート）Ｐ（図２参照）を収納する複数（ここでは２つ）の給紙カセット（シート収納カセット）１０が装置本体１に対して着脱可能に設けられている。
【００１６】
図２に示すように、装置本体１の内部には、画像形成部１０１、定着部１０２、用紙搬送部１０３などが設けられている。画像形成部１０１は、画像読取装置２により読み込んだ画像データに基づいて、供給される用紙Ｐにトナー像を転写して画像を形成するものである。画像形成部１０１は、静電潜像を担持する感光体ドラム１０４、感光体ドラム１０４の表面を帯電させる帯電ユニット１０５、原稿画像に対応する静電潜像を感光体ドラム１０４の表面にレーザービーム等によって形成する露光ユニット１０６、形成された静電潜像に現像剤を付着させてトナー像を形成する現像ユニット１０７、トナー像を用紙Ｐに転写する転写ローラー１０８、感光体ドラム１０４表面の残留トナーを除去するクリーニングブレード１０９等を含んでいる。また、定着部１０２は、トナー像が転写された用紙Ｐを加熱及び加圧することにより、用紙Ｐ上にトナー像を定着させる。用紙搬送部１０３は装置本体１の右側面に沿って上方に向かって延びており、給紙カセット１０から画像形成部１０１に用紙Ｐを搬送する。
【００１７】
次に、給紙カセット１０の構成について説明する。
【００１８】
給紙カセット１０は、装置本体１のカセット装着部１ａに対して着脱可能に形成されている。給紙カセット１０は図３および図４に示すように、底面部１１の周縁部に側壁１２ａ〜１２ｄが立設されて上面が開口した平坦な略箱状に構成され、その上面方向から用紙Ｐを積載して収容する。底面部１１および側壁１２ａ〜１２ｄによって、用紙Ｐを収容する用紙収容部（シート収容部）Ｓが形成されている。なお、図中、装置本体１に対する給紙カセット１０の挿入方向を矢印Ａ、引き出し方向を矢印Ａ′で示し、給紙カセット１０の給紙方向（シート給送方向）を矢印Ｂで示している。
【００１９】
給紙カセット１０の挿入方向に対し上流側の側壁１２ａにはカセットカバー１４が装着されている。カセットカバー１４は、前面が外部に露出して装置本体１（図１参照）の外装面の一部を構成する。
【００２０】
用紙収容部Ｓには、用紙Ｐが積載される用紙積載板（シート積載板）１６が設けられている。用紙積載板１６は、給紙方向上流側（矢印Ｂ´方向）の用紙幅方向（シート幅方向、矢印ＡＡ´方向）両端部に設けられた揺動軸（図示せず）を支点として、給紙方向下流側（矢印Ｂ方向）の端部がコイルバネ（図示せず）によって底面部１１に対し上下に昇降可能に設けられている。用紙積載板１６上に積載された用紙Ｐは、装置本体１（図１参照）に設けられたピックアップローラー、フィードローラーおよびリタードローラー（いずれも図示せず）によって、最上位の１枚のみが搬送される。
【００２１】
用紙積載板１６の用紙幅方向（矢印ＡＡ´方向）両側には、用紙積載板１６に積載される用紙Ｐの幅方向の位置決めを行う一対の幅合わせカーソル２０（２０ａおよび２０ｂ）が設けられている。幅合わせカーソル２０ａおよび２０ｂは、底面部１１に形成され用紙幅方向に延びる幅方向案内スリットに沿ってそれぞれ往復移動可能に設けられている。
【００２２】
用紙積載板１６の給紙方向上流側（矢印Ｂ´方向）には、用紙積載板１６に積載される用紙Ｐの後端を揃える第１後端カーソル３０が設けられている。第１後端カーソル３０は、底面部１１に形成され給紙方向に延びる給紙方向案内スリット１１ａに沿って往復移動可能に設けられている。
【００２３】
また、用紙積載板１６には、幅合わせカーソル２０ａ、２０ｂおよび第１後端カーソル３０の移動領域に切り欠きが設けられている。
【００２４】
給紙カセット１０の挿入または引き出し方向（矢印ＡＡ′方向）に対し平行な側壁１２ｂおよび１２ｄの外側にはガイドレール１８が付設されている。装置本体１にはガイドレール１８を摺動可能に支持するレール支持部（図示せず）が設けられており、ガイドレール１８をレール支持部に沿って摺動させることで、給紙カセット１０は装置本体１に対し挿入及び引き出し可能となっている。
【００２５】
各幅合わせカーソル２０ａおよび２０ｂは、底面部１１に平行で用紙Ｐの幅方向の端部近傍が積載されるベース部２１と、ベース部２１から立設され、用紙Ｐの幅方向の端部に当接する側端規制部２２と、によって構成されている。各幅合わせカーソル２０ａおよび２０ｂには、底面部１１の内部に配置され用紙幅方向に沿って延在するラック部２３が連結部（図示せず）を介して連結されている。連結部（図示せず）は、ベース部２１の下部とラック部２３の端部とを連結している。
【００２６】
各ラック部２３の給紙方向の対向面には、用紙幅方向に延びるラック歯が形成されている。各ラック部２３のラック歯は、底面部１１の用紙積載板１６の下方の位置に回転可能に取り付けられたピニオンギア（図示せず）のピニオン歯に係合している。ラック部２３およびピニオンギア（図示せず）によって、ラックピニオン機構が構成されている。
【００２７】
ピニオンギア（図示せず）は、ラック部２３の移動に伴って回転可能であり、一方の幅合わせカーソル２０ａ（又は２０ｂ）を用紙幅方向に移動させると、ピニオンギア（図示せず）が回転し、これに連動して他方の幅合わせカーソル２０ｂ（又は２０ａ）も反対方向に同一量だけ移動する。即ち、各幅合わせカーソル２０ａおよび２０ｂは用紙幅方向の中心線に対して左右対称に移動する。
【００２８】
第１後端カーソル３０は、底面部１１に平行で用紙Ｐの給紙方向上流側の端部近傍が積載されるベース部３１と、ベース部３１から立設され、用紙Ｐの給紙方向上流側の端部に当接する後端規制部３２と、によって構成されている。なお、第１後端カーソル３０は、用紙収容部Ｓに積載される最大サイズ（例えばＡ４サイズ）やそれよりも少しだけ小さいサイズ（例えばＢ５サイズ）の用紙Ｐの後端部の位置決めを行う。
【００２９】
ここで、本実施形態では、一対の幅合わせカーソル２０ａおよび２０ｂの各々には、第１後端カーソル３０が位置決めを行う用紙Ｐよりも小サイズ（例えばＡ５サイズ、Ａ６サイズ、はがきサイズ）の用紙Ｐの後端部の位置決めを行う第２後端カーソル４０が設けられている。なお、幅合わせカーソル２０ａおよび２０ｂに設けられる第２後端カーソル４０は、用紙幅方向に対称に形成されているため、ここでは幅合わせカーソル２０ａに設けられる第２後端カーソル４０について、図を参照して説明する。
【００３０】
図５および図６に示すように、幅合わせカーソル２０ａの側端規制部２２は、用紙Ｐの側端部（幅方向の端部）に当接する側端当接面２２ａを有する。側端当接面２２ａには、第２後端カーソル４０を収納するカーソル収容部２４が設けられている。
【００３１】
第２後端カーソル４０は図７に示すように、上下方向に突出する回動軸部４１を有するとともに、用紙Ｐの後端部に当接する後端当接面４０ａを有する。第２後端カーソル４０は、回動軸部４１が給紙方向上流側（図５の左側）となるように幅合わせカーソル２０ａに配置されているとともに、回動軸部４１を中心に幅合わせカーソル２０ａに対して回動可能に設けられている。そして、第２後端カーソル４０は、カーソル収容部２４の内部に配置され、用紙Ｐの後端部に当接しない退避位置（図５の位置）と、側端当接面２２ａよりも用紙幅方向の内側に突出し用紙Ｐの後端部に当接可能な突出位置（図６の位置）と、に選択配置される。
【００３２】
退避位置（図５の位置）において、後端当接面４０ａは側端当接面２２ａと平行に配置され、且つ、第２後端カーソル４０は側端当接面２２ａと面一に配置される。なお、第２後端カーソル４０は、退避位置において、側端当接面２２ａよりも用紙幅方向の外側に配置されてもよい。また、突出位置（図６の位置）において、後端当接面４０ａは、側端当接面２２ａと垂直に配置され、且つ、側端当接面２２ａよりも用紙幅方向の内側に突出する。
【００３３】
第２後端カーソル４０は、略直方体形状に形成されており、第２後端カーソル４０の上面および下面には、上方向に突出する上突出部（突出部）４２ａと、下方向に突出する下突出部（突出部）４２ｂと、がそれぞれ設けられている。
【００３４】
また、第２後端カーソル４０の端部には、後端当接面４０ａの裏側に向けて切欠かれた切り欠き部４３が形成され、第２後端カーソル４０を退避位置から突出位置に変更する際にユーザーの指が係合される。第２後端カーソル４０の回動軸部４１側で、且つ後端当接面４０ａ側の部分には、Ｃ面取りされた面取り部４４（図１１参照）が形成されている。
【００３５】
図８に示すように、幅合わせカーソル２０ａのカーソル収容部２４は、第２後端カーソル４０と同様、略Ｔ字状に形成されている。カーソル収容部２４のうちの後端カーソル４０の切り欠き部４３と対向する部分には、第２後端カーソル４０を退避位置から突出位置に変更する際にユーザーの指が挿入される挿入凹部２４ａが設けられている。
【００３６】
また、カーソル収容部２４には、給紙方向（矢印Ｂ方向）に延びるように形成されるとともに、第２後端カーソル４０の回動軸部４１が挿入され、回動軸部４１を給紙方向に沿ってスライド可能にガイドするガイド溝２６が設けられている。ガイド溝２６は、カーソル収容部２４の上面および下面の両方に設けられている。
【００３７】
図８および図９に示すように、カーソル収容部２４の内側面（側端当接面２２ａと平行な面）２４ｂには、第２後端カーソル４０に係合し、第２後端カーソル４０の給紙方向に沿った移動を規制する１つ以上（ここでは３つ）の係合部２８が設けられている。複数の係合部２８は、定形サイズの用紙Ｐの後端部に対応する位置に給紙方向に沿って配置されている。図９および図１０に示すように、係合部２８の周囲には、コの字状のスリット２４ｃが設けられている。係合部２８は、用紙幅方向（矢印ＡＡ´方向）に弾性変形可能な弾性部２８ａと、弾性部２８ａの先端部から用紙幅方向内側（矢印Ａ´方向）に突出し、第２後端カーソル４０に係合する突起部２８ｂと、を有する、所謂スナップフィット形状に形成されている。
【００３８】
この給紙カセット１０では、所定サイズ以上（例えばＡ４サイズ、Ｂ５サイズ）の用紙Ｐを用紙収容部Ｓにセットする場合、幅合わせカーソル２０ａ、２０ｂおよび第１後端カーソル３０によって用紙Ｐの側端部および後端部の位置決めを行う。この場合、第２後端カーソル４０は、退避位置（図５の位置）に配置される。
【００３９】
一方、所定サイズ未満（例えばＡ５サイズ、Ａ６サイズ、はがきサイズ）の用紙Ｐを用紙収容部Ｓにセットする場合、幅合わせカーソル２０ａ、２０ｂおよび第２後端カーソル４０によって用紙Ｐの側端部および後端部の位置決めを行う。この場合、まず、図６および図１１に示すように、第２後端カーソル４０をカーソル収容部２４から突出させる。そして、幅合わせカーソル２０ａおよび２０ｂを用紙幅方向内側に移動させ、側端規制部２２によって用紙Ｐの側端部の位置決めを行う。その後、図１２に示すように、用紙収容部Ｓに収容された用紙Ｐのサイズに合わせて第２後端カーソル４０を給紙方向に移動させることによって、用紙Ｐの後端部の位置決めを行う。このとき、第２後端カーソル４０の面取り部４４によって係合部２８が押圧されて用紙幅方向外側に弾性変形するので、第２後端カーソル４０を容易に給紙方向に移動させることができる。
【００４０】
図１２の状態において、第２後端カーソル４０には用紙Ｐの後端部により時計回り方向に回動する力が加わるが、第２後端カーソル４０の内側面２４ｂと対向する端面４０ｂの矢印Ｂ´方向の部分がカーソル収容部２４の内側面２４ｂに当接するので、第２後端カーソル４０の時計回り方向の回動が規制される。
【００４１】
また、第２後端カーソル４０を図１２の状態から退避位置へ戻す場合、図１３に示すように第２後端カーソル４０を所定角度だけ回動させる。これにより、第２後端カーソル４０は係合部２８に係合しなくなるので、第２後端カーソル４０の角度を維持したまま給紙方向上流側に移動させる。そして、回動軸部４１を中心に回動させ、図５に示した退避位置に戻す。
【００４２】
本実施形態では、上記のように、幅合わせカーソル２０ａおよび２０ｂに設けられ、第１後端カーソル３０が位置決めを行う用紙Ｐよりも小サイズの用紙Ｐの後端部に当接して位置決めを行う第２後端カーソル４０を備える。これにより、用紙サイズに合わせて第１後端カーソル３０と第２後端カーソル４０とを使い分けることができる。すなわち、最大サイズから最小サイズまでの全てのサイズの用紙Ｐに対して第１後端カーソル３０を用いる必要がない。このため、給紙カセット１０の底面部１１に設ける給紙方向案内スリット１１ａを小さくすることができるので、給紙カセット１０の剛性が低下するのを抑制することができる。その結果、給紙カセット１０にねじれが生じるのを抑制することができるので、用紙Ｐのスキュー（斜め給紙）等の給紙不良が発生するのを抑制することができる。
【００４３】
また、上記のように、側端規制部２２には、側端当接面２２ａを凹設して、第２後端カーソル４０を収容するカーソル収容部２４が設けられている。これにより、給紙カセット１０を大型化することなく、第２後端カーソル４０の配置スペースを容易に確保することができる。
【００４４】
また、上記のように、カーソル収容部２４は、給紙方向に延設され、回動軸部４１が挿入され、回動軸部４１がスライド可能な一対のガイド溝２６を有し、第２後端カーソル４０は、突出位置において、給紙方向に沿ってスライド可能に支持されている。これにより、複数のサイズの用紙Ｐに対して容易に後端部の位置決めを行うことができる。
【００４５】
また、上記のように、第２後端カーソル４０は、側端規制部２２に対して回動可能に設けられている。これにより、第２後端カーソル４０を、容易に、退避位置において用紙Ｐの後端部に当接させず、突出位置において用紙Ｐの後端部に当接させることができる。また、第２後端カーソル４０を突出位置に配置した状態で、第２後端カーソル４０の用紙幅方向の長さを容易に大きくすることができる。
【００４６】
また、上記のように、第２後端カーソル４０は、上面および下面から上下方向に突出する上突出部４２ａおよび下突出部４２ｂがそれぞれ設けられている。これにより、用紙積載板１６に積載された全ての用紙Ｐ（最下位の用紙Ｐから最上位の用紙Ｐ）に対して、容易に第２後端カーソル４０を当接させることができる。
【００４７】
（第２実施形態）
本発明の第２実施形態の給紙カセット１０では、図１４および図１５に示すように、第２後端カーソル４０は、幅合わせカーソル２０の後端に設けられたヒンジ５０に回動可能に支持されている。第２後端カーソル４０は、退避位置（図１４の位置）において、側端当接面２２ａの延長面上に延び、側端当接面２２ａの一部を構成する。また、第２後端カーソル４０は、突出位置（図１５の位置）において、側端当接面２２ａから内側に向けて垂直方向に延びる。
【００４８】
第２後端カーソル４０の下面には、下方に突出する突起４５が設けられている。この突起４５は、突出位置において、底面部１１（又は幅合わせカーソル２０のベース部２１）に設けられた凹部（図示せず）に係合する。これにより、第２後端カーソル４０を突出位置に保持することができる。
【００４９】
第２実施形態のその他の構造および効果は、上記第１実施形態と同様である。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
例えば、上記実施形態では、第２後端カーソル４０を幅合わせカーソル２０ａおよび２０ｂの両方に設けた例について示したが、本発明はこれに限らず、第２後端カーソル４０を幅合わせカーソル２０ａおよび２０ｂの一方のみに設けてもよい。
【符号の説明】
【００５２】
１  装置本体
１ａ  カセット装着部
１０  給紙カセット（シート収納カセット）
１６  用紙積載板（シート積載板）
２０、２０ａ、２０ｂ  幅合わせカーソル
２２  側端規制部
２２ａ  側端当接面
２４  カーソル収容部
２６  ガイド溝
２８  係合部
３０  第１後端カーソル
４０  第２後端カーソル
４０ａ  後端当接面
４１  回動軸部
４２ａ  上突出部（突出部）
４２ｂ  下突出部（突出部）
１００  画像形成装置
Ｐ  用紙（シート）
Ｓ  用紙収容部（シート収容部）
【図１】
2018100173.tif 000003
【図２】
2018100173.tif 000004
【図３】
2018100173.tif 000005
【図４】
2018100173.tif 000006
【図５】
2018100173.tif 000007
【図６】
2018100173.tif 000008
【図７】
2018100173.tif 000009
【図８】
2018100173.tif 000010
【図９】
2018100173.tif 000011
【図１０】
2018100173.tif 000012
【図１１】
2018100173.tif 000013
【図１２】
2018100173.tif 000014
【図１３】
2018100173.tif 000015
【図１４】
2018100173.tif 000016
【図１５】
2018100173.tif 000017